(57)【要約】【課題】記録マーク及びスペース部の反射光量の明暗（大小）によってレーザの出射光量が変動するスクープ現象が発生し、なおかつスクープ現象によるレーザの出射光量変動はディスク毎や同一ディスクの半径方向の位置によって異なり、なおかつ多層記録媒体の他層迷光が発生する場合、レーザ出射光量一定での反射光量のピーク値、ボトム値から求まる本来のβ値からずれてしまい誤ったパワー補正を行う。【解決手段】他層からの迷光量を測定する手段と、スクープによる記録マークおよびスペース部でのレーザの出射光量の変動量を算出し、前記変動量を用いて出射光量の変動を補正するスクープ補正係数を算出するスクープ補正手段と、前記スクープ補正係数と他層迷光量を用いて、前記ピーク値及びボトム値を補正するピーク値補正手段及びボトム値補正手段と、前記補正されたピーク値及びボトム値を用いてβ値を算出するβ値算出手段を備えたことを特徴とする。【選択図】図１
2006120281.tif 000002
【特許請求の範囲】
【請求項１】
レーザ光を所定の情報に従い変調するとともに記録パワーを制御して多層記録媒体に照射し、その記録パワーの強弱により前記多層記録媒体の反射率が変化する記録マーク領域を形成することにより情報を記録し、レーザ出射光を所定の光量になるように制御して情報の再生が行われる情報記録方法において、
データの記録開始前に予め記録済み領域の反射光量の振幅測定から得られるβ値の目標値とβ値に対する記録パワーの変換係数を設定し、
データの記録の際は、所定の領域もしくは所定のレーザ周囲温度変化に達する時間の記録が行われた毎に記録を中断し、
前記記録中断の記録終端位置近傍の未記録領域の反射光量の振幅のピーク値と記録済み領域の反射光量の振幅のピーク値、ボトム値および平均値を測定し、
前記未記録領域の振幅ピーク値と予め他層迷光調整において記憶手段に格納された迷光値から迷光量を算出し、
前記未記録領域の振幅のピーク値と前記記録済み領域の振幅のピーク値、ボトム値および平均値をそれぞれ前記迷光量で補正し、
前記迷光補正された前記未記録領域と前記記録済み領域のそれぞれの振幅ピーク値から、スクープによる記録スペース部でのレーザの出射光量の変動量を算出し、前記変動量を用いて記録スペース部および記録マーク部の出射光量の変動を補正するスクープ補正係数を算出し、
前記スクープ補正係数を用いて、前記迷光補正された記録済み領域の振幅ピーク値とボトム値をそれぞれ補正し、
前記迷光補正された記録済み領域の平均値と前記スクープ補正された記録済み領域の振幅ピーク値とボトム値からβ値を算出し、
前記β値の目標値と前記算出されたβ値との差分を算出し、前記β値の差分と前記β値に対するパワー変換係数より記録パワーの補正量を算出し、前記記録中断前の記録パワーに前記記録パワーの補正量を加算した記録パワーで前記記録中断の記録終端位置から記録を再開することを特徴とする情報記録方法。
【請求項２】
レーザ光を所定の情報に従い変調するとともに記録パワーを制御して多層記録媒体に照射し、その記録パワーの強弱により前記多層記録媒体の反射率が変化する記録マーク領域を形成することにより情報を記録し、レーザ出射光を所定の光量になるように制御して情報の再生が行われる情報記録装置において、
レーザの出射光量を検出する出射光量検出手段と、
前記出射光量検出手段の出力を用いて、所定の記録ピークパワー値となるようにレーザの出射光量を制御する記録ピークパワー制御手段と、
前記出射光量検出手段の出力を用いて、所定の記録バイアスパワー値となるようにレーザの出射光量を制御する記録バイアスパワー制御手段と、
前記多層記録媒体からの反射光を受光して反射光量を検出する反射光量検出手段と、
前記反射光量検出手段の検出光量のピーク値を検出するピーク値検出手段と、
前記反射光量検出手段の検出光量のボトム値を検出するボトム値検出手段と、
前記反射光量検出手段の検出光量の平均値を検出する平均値検出手段と、
予め記憶されている未記録領域の反射光量のピーク値に対する迷光量を示す迷光値と、所定の未記録領域での前記ピーク値検出手段によって検出される未記録領域のピーク値から迷光量を算出する迷光量測定手段と、
前記ピーク値検出手段によって所定の記録済み領域の反射光量のピーク値から前記迷光量測定手段によって算出された迷光量を減算するピーク値迷光補正手段と、
前記ボトム値検出手段によって所定の記録済み領域の反射光量のボトム値から前記迷光量測定手段によって算出された迷光量を減算するボトム値迷光補正手段と、
前記平均値検出手段によって所定の記録済み領域の反射光量の平均値から前記迷光量測定手段によって算出された迷光量を減算する平均値迷光補正手段と、
前記所定の未記録領域での前記ピーク値迷光補正手段によって検出される未記録領域のピーク値と、所定の記録済み領域での前記ピーク値迷光補正手段によって検出される記録済み領域のピーク値から、スクープによる記録マークおよびスペース部でのレーザの出射光量の変動量を算出し、前記変動量を用いて出射光量の変動を補正するスクープ補正係数を算出するスクープ補正手段と、
前記スクープ補正係数を用いて、前記ピーク値迷光補正手段によって迷光補正されたピーク値をスクープ補正するピーク値スクープ補正手段と、
前記スクープ補正係数を用いて、前記ボトム値迷光補正手段によって迷光補正されたボトム値をスクープ補正するボトム値スクープ補正手段と、
前記ピーク値スクープ補正手段によって補正されたピーク値と、前記ボトム値スクープ補正手段によって補正されたボトム値と、前記平均値迷光補正手段によって補正された平均値を用いてβ値を算出するβ値算出手段と、
前記β値算出手段によって算出されたβ値と予め設定された目標β値との差分を算出する目標β値比較手段と、
前記目標β値比較手段によって算出された目標β値との差分により補正パワー値を生成し、前記記録ピークパワー制御手段に補正パワー値を出力する補正パワー値生成手段とを備えたことを特徴とする情報記録装置。
【請求項３】
請求項１記載のβ値は、β値と同様に記録済み領域の振幅測定から算出される変調度とすることを特徴とする情報記録方法。
【請求項４】
レーザ光を所定の情報に従い変調するとともに記録パワーを制御して多層記録媒体に照射し、その記録パワーの強弱により前記多層記録媒体の反射率が変化する記録マーク領域を形成することにより情報を記録し、レーザ出射光を所定の光量になるように制御して情報の再生が行われる情報記録装置において、
レーザの出射光量を検出する出射光量検出手段と、
前記出射光量検出手段の出力を用いて、所定の記録ピークパワー値となるようにレーザの出射光量を制御する記録ピークパワー制御手段と、
前記出射光量検出手段の出力を用いて、所定の記録バイアスパワー値となるようにレーザの出射光量を制御する記録バイアスパワー制御手段と、
前記多層記録媒体からの反射光を受光して反射光量を検出する反射光量検出手段と、
前記反射光量検出手段の検出光量のピーク値を検出するピーク値検出手段と、
前記反射光量検出手段の検出光量のボトム値を検出するボトム値検出手段と、
予め記憶されている未記録領域の反射光量のピーク値に対する迷光量を示す迷光値と、所定の未記録領域での前記ピーク値検出手段によって検出される未記録領域のピーク値から迷光量を算出する迷光量測定手段と、
前記ピーク値検出手段によって所定の記録済み領域の反射光量のピーク値から前記迷光量測定手段によって算出された迷光量を減算するピーク値迷光補正手段と、
前記ボトム値検出手段によって所定の記録済み領域の反射光量のボトム値から前記迷光量測定手段によって算出された迷光量を減算するボトム値迷光補正手段と、
前記所定の未記録領域での前記ピーク値迷光補正手段によって検出される未記録領域ピーク値と、所定の記録済み領域での前記ピーク値迷光補正手段によって検出される記録済み領域ピーク値から、スクープによる記録マークおよびスペース部でのレーザの出射光量の変動量を算出し、前記変動量を用いて出射光量の変動を補正するスクープ補正係数を算出するスクープ補正手段と、
前記スクープ補正係数を用いて、前記ピーク値迷光補正手段によって迷光補正されたピーク値をスクープ補正するピーク値スクープ補正手段と、
前記スクープ補正係数を用いて、前記ボトム値迷光補正手段によって迷光補正されたボトム値をスクープ補正するボトム値スクープ補正手段と、
前記ピーク値スクープ補正手段によって補正されたピーク値と、前記ボトム値スクープ補正手段によって補正されたボトム値を用いて変調度を算出する変調度算出手段と、
前記変調度算出手段によって算出された変調度と予め設定された目標変調度との差分を算出する目標変調度比較手段と、
前記目標変調度比較手段によって算出された目標変調度との差分により補正パワー値を生成し、前記記録ピークパワー制御手段に補正パワー値を出力する補正パワー値生成手段とを備えたことを特徴とする情報記録装置。
【請求項５】
レーザ光を所定の情報に従い変調するとともに記録パワーを制御して多層記録媒体に照射し、その記録パワーの強弱により前記多層記録媒体の反射率が変化する記録マーク領域を形成することにより情報を記録し、レーザ出射光を所定の光量になるように制御して情報の再生が行われる情報記録方法において、
データの記録開始前に予め記録済み領域の反射光量の再生振幅測定から得られるアシンメトリ値の目標値とアシンメトリ値に対する記録パワーの変換係数を設定し、
データの記録の際は、所定の領域もしくは所定のレーザ周囲温度変化に達する時間の記録が行われた毎に記録を中断し、
前記記録中断の記録終端位置近傍の未記録領域の反射光量の振幅のピーク値と記録済み領域の反射光量の振幅ピーク値、ボトム値および最小記録データ長のマーク部の反射光量の振幅値と最小記録データ長のスペース部の反射光量の振幅値を計測し、
前記未記録領域の振幅ピーク値と予め他層迷光調整において記憶手段に格納された迷光値から迷光量を算出し、
前記未記録領域の振幅のピーク値と前記記録済み領域の振幅のピーク値、ボトム値および最小記録データ長のマーク部の振幅値と最小記録データ長のスペース部の振幅値をそれぞれ前記迷光量で補正し、
前記迷光補正された前記未記録領域と前記記録済み領域のそれぞれの振幅ピーク値から、スクープによる記録スペース部でのレーザの出射光量の変動量を算出し、前記変動量を用いて記録スペース部および記録マーク部の出射光量の変動を補正するスクープ補正係数を算出し、
前記スクープ補正係数を用いて、前記迷光補正された記録済み領域の振幅ピーク値とボトム値と最小記録データ長のマーク部の振幅値と最小記録データ長のスペース部の振幅値をそれぞれ補正し、
前記スクープ補正された記録済み領域の振幅ピーク値とボトム値と最小記録データ長のマーク部の振幅値と最小記録データ長のスペース部の振幅値からアシンメトリ値を算出し、
前記アシンメトリ値の目標値と前記算出されたアシンメトリ値との差分を算出し、前記アシンメトリ値の差分と前記アシンメトリ値に対するパワー変換係数より記録パワーの補正量を算出し、前記記録中断前の記録パワーに前記記録パワーの補正量を加算した記録パワーで前記記録中断の記録終端位置から記録を再開することを特徴とする情報記録方法。
【請求項６】
レーザ光を所定の情報に従い変調するとともに記録パワーを制御して多層記録媒体に照射し、その記録パワーの強弱により前記多層記録媒体の反射率が変化する記録マーク領域を形成することにより情報を記録し、レーザ出射光を所定の光量になるように制御して情報の再生が行われる情報記録装置において、
レーザの出射光量を検出する出射光量検出手段と、
前記出射光量検出手段の出力を用いて、所定の記録ピークパワー値となるようにレーザの出射光量を制御する記録ピークパワー制御手段と、
前記出射光量検出手段の出力を用いて、所定の記録バイアスパワー値となるようにレーザの出射光量を制御する記録バイアスパワー制御手段と、
前記多層記録媒体からの反射光を受光して反射光量を検出する反射光量検出手段と、
前記反射光量検出手段の検出光量のピーク値を検出するピーク値検出手段と、
前記反射光量検出手段の検出光量のボトム値を検出するボトム値検出手段と、
前記反射光量検出手段の検出光量の最小記録データ長のマーク部の反射光量の振幅値を検出する最小記録データ長マーク部振幅検出手段と、
前記反射光量検出手段の検出光量の最小記録データ長のスペース部の反射光量の振幅値を検出する最小記録データ長スペース部振幅検出手段と、
予め記憶されている未記録領域の反射光量のピーク値に対する迷光量を示す迷光値と、所定の未記録領域での前記ピーク値検出手段によって検出される未記録領域のピーク値から迷光量を算出する迷光量測定手段と、
前記ピーク値検出手段によって所定の記録済み領域の反射光量のピーク値から前記迷光量測定手段によって算出された迷光量を減算するピーク値迷光補正手段と、
前記ボトム値検出手段によって所定の記録済み領域の反射光量のボトム値から前記迷光量測定手段によって算出された迷光量を減算するボトム値迷光補正手段と、
前記最小記録データ長マーク部振幅検出手段によって所定の記録済み領域の反射光量の最小記録データ長のマーク部の反射光量の振幅値から前記迷光量測定手段によって算出された迷光量を減算する最小記録データ長マーク部振幅値迷光補正手段と、
前記最小記録データ長スペース部振幅検出手段によって所定の記録済み領域の反射光量の最小記録データ長のスペース部の反射光量の振幅値から前記迷光量測定手段によって算出された迷光量を減算する最小記録データ長スペース部振幅値迷光補正手段と、
前記所定の未記録領域での前記ピーク値迷光補正手段によって検出される未記録領域のピーク値と、所定の記録済み領域での前記ピーク値迷光補正手段によって検出される記録済み領域のピーク値から、スクープによる記録マークおよびスペース部でのレーザの出射光量の変動量を算出し、前記変動量を用いて出射光量の変動を補正するスクープ補正係数を算出するスクープ補正手段と、
前記スクープ補正係数を用いて、前記ピーク値迷光補正手段によって迷光補正されたピーク値をスクープ補正するピーク値スクープ補正手段と、
前記スクープ補正係数を用いて、前記ボトム値迷光補正手段によって迷光補正されたボトム値をスクープ補正するボトム値スクープ補正手段と、
前記スクープ補正係数を用いて、前記最小記録データ長マーク部振幅値迷光補正手段によって迷光補正された最小記録データ長のマーク部の反射光量の振幅値をスクープ補正する最小記録データ長マーク部振幅値スクープ補正手段と、
前記スクープ補正係数を用いて、前記最小記録データ長スペース部振幅値迷光補正手段によって迷光補正された最小記録データ長のスペース部の反射光量の振幅値をスクープ補正する最小記録データ長スペース部振幅値スクープ補正手段と、
前記ピーク値スクープ補正手段によって補正されたピーク値と、前記ボトム値スクープ補正手段によって補正されたボトム値と、前記最小記録データ長マーク部振幅値スクープ補正手段よって補正された最小記録データ長のマーク部の反射光量の振幅値と、前記最小記録データ長スペース部振幅値スクープ補正手段よって補正された最小記録データ長のスペース部の反射光量の振幅値を用いてアシンメトリ値を算出するアシンメトリ値算出手段と、
前記アシンメトリ値算出手段によって算出されたアシンメトリ値と予め設定された目標アシンメトリ値との差分を算出する目標アシンメトリ値比較手段と、
前記目標アシンメトリ値比較手段によって算出された目標アシンメトリ値との差分により補正パワー値を生成し、前記記録ピークパワー制御手段に補正パワー値を出力する補正パワー値生成手段とを備えたことを特徴とする情報記録装置。
【請求項７】
他層からの迷光の影響がない状態で予め計測された記録済み領域のスペース部の振幅に対する記録マーク部とスペース部の振幅差を示す変調度が既知な多層記録媒体の記録済み領域へシークし、
光量モニター用フォトディテクターによって検出される記録済み領域でのレーザ出射光量の平均値を計測し
前記出射光量の平均値を用いて記録データの周波数より低い周波数帯域で再生レーザパワーを制御し、
記録済み領域の所定データ長のマーク部のレーザ出射光量を計測し、
記録済み領域の所定データ長のスペース部のレーザ出射光量を計測し、
前記出射光量の平均値に対する前記マーク部のレーザ出射光量からスクープによるマーク部光量変動比を算出し、
前記出射光量の平均値に対する前記スペース部のレーザ出射光量からスクープによるスペース部光量変動比を算出し、
前記多層記録媒体の記録済み領域からの反射光量の記録マーク部の振幅ピーク値とスペース部の振幅ボトム値を計測し、
前記反射光量のピーク値を前記スペース部の出射光量変動比で除算し、
前記反射光量のボトム値を前記マーク部の出射光量変動比で除算し、
前記除算された反射光量のピーク値から前記除算された反射光量のボトム値を減算した値を前記除算された反射光量のピーク値で除算して変調度を算出し、
前記予め他層からの迷光がない状態で計測された変調度と前記算出された変調度から他層からの迷光量を算出し、
前記多層記録媒体の記録済み領域近傍の未記録領域を再生し、
前記未記録領域の反射光量のピーク値を計測し、
前記未記録領域の反射光量のピーク値に対する前記迷光量として算出し、
情報記録装置の記憶手段に格納することを特徴とする他層迷光調整方法。
【請求項８】
他層からの迷光の影響がない状態で予め計測された記録済み領域のスペース部の反射光量の振幅に対する記録マーク部とスペース部の反射光量の振幅差を示す変調度が既知な多層記録媒体と、
レーザの出射光量を検出する出射光量検出手段と、
前記出射光量検出手段の検出光量の平均値を計測する出射光量平均値測定手段と、
前記出射光量検出手段の検出光量の所定のデータ長のマーク部の出射光量を計測するマーク部出射光量測定手段と、
前記出射光量検出手段の検出光量の所定のデータ長のスペース部の出射光量を計測するスペース部出射光量測定手段と、
前記出射光量平均値に対する前記マーク部の出射光量からスクープによるマーク部光量変動比と、前記出射光量平均値に対する前記スペース部の出射光量からスクープによるスペース部光量変動比を算出するスクープ測定手段と
前記出射光量平均値を用いて、所定の再生パワー値となるようにレーザの出射光量を制御する再生パワー制御手段と、
前記多層記録媒体からの反射光を受光して反射光量を検出する反射光量検出手段と、
前記反射光量検出手段の検出光量のピーク値を検出するピーク値検出手段と、
前記反射光量検出手段の検出光量のボトム値を検出するボトム値検出手段と、
前記反射光量のピーク値を前記スペース部光量変動比で除算するピーク値スクープ補正手段と、
前記反射光量のボトム値を前記マーク部光量変動比で除算するボトム値スクープ補正手段と、
前記ピーク値スクープ補正手段でスクープ補正された反射光量のピーク値から前記ボトム値スクープ補正手段でスクープ補正された反射光量のボトム値を減算した値を前記スクープ補正された反射光量のピーク値で除算した変調度と、前記多層媒体の予め他層からの迷光がない状態で計測された変調度から他層からの迷光量を算出する迷光測定手段と、
前記多層記録媒体の記録済み領域近傍の未記録領域を再生し、前記ピーク値検出手段によって検出される未記録領域の反射光量のピーク値に対する前記迷光量を迷光値として算出し、情報記録装置の記憶手段に前記迷光値を格納する迷光値格納手段を備えたことを特徴とする他層迷光調整装置。
【請求項９】
レーザ光を所定の情報に従い変調するとともに記録パワーを制御して記録媒体に照射し、その記録パワーの強弱により前記記録媒体の反射率が変化する記録マーク領域を形成することにより情報を記録し、レーザ出射光を所定の光量になるように制御して情報の再生が行われる情報記録方法において、
データの記録開始前に予め記録済み領域の反射光量の振幅測定から得られるβ値の目標値とβ値に対する記録パワーの変換係数を設定し、
データの記録の際は、所定の領域もしくは所定のレーザ周囲温度変化に達する時間の記録が行われた毎に記録を中断し、
前記記録中断の記録終端位置近傍の未記録領域の反射光量の振幅のピーク値と記録済み領域の反射光量の振幅のピーク値、ボトム値および平均値を計測し、
光量モニター用フォトディテクターによって検出される記録済み領域のレーザ出射光量の平均値を計測し、
記録済み領域の所定データ長のマーク部のレーザ出射光量を計測し、
記録済み領域の所定データ長のスペース部のレーザ出射光量を計測し、
前記出射光量平均値に対する前記マーク部のレーザ出射光量からスクープによるマーク部光量変動比を算出し、
前記出射光量の平均値に対する前記スペース部のレーザ出射光量からスクープによるスペース部光量変動比を算出し、
前記記録済み領域の反射光量の振幅ピーク値を前記スペース部の出射光量変動比で除算し、
前記記録済み領域の反射光量の振幅ボトム値を前記マーク部の出射光量変動比で除算し、
前記記録済み領域の反射光量の平均値と前記スクープによる光量変動比で補正された記録済み領域の反射光量の振幅ピーク値とボトム値からβ値を算出し、
前記β値の目標値と前記算出されたβ値との差分を算出し、前記β値の差分と前記β値に対するパワー変換係数より記録パワーの補正量を算出し、
前記記録中断前の記録パワーに前記記録パワーの補正量を加算した記録パワーで前記記録中断の記録終端位置から記録を再開することを特徴とする情報記録方法。
【請求項１０】
レーザ光を所定の情報に従い変調するとともに記録パワーを制御して記録媒体に照射し、その記録パワーの強弱により前記記録媒体の反射率が変化する記録マーク領域を形成することにより情報を記録し、レーザ出射光を所定の光量になるように制御して情報の再生が行われる情報記録装置において、
レーザの出射光量を検出する出射光量検出手段と、
前記出射光量検出手段の出力を用いて、所定の記録ピークパワー値となるようにレーザの出射光量を制御する記録ピークパワー制御手段と、
前記出射光量検出手段の出力を用いて、所定の記録バイアスパワー値となるようにレーザの出射光量を制御する記録バイアスパワー制御手段と、
前記出射光量検出手段の検出光量の平均値を計測する出射光量平均値測定手段と、
前記出射光量検出手段の検出光量の所定のデータ長のマーク部の出射光量を計測するマーク部出射光量測定手段と、
前記出射光量検出手段の検出光量の所定のデータ長のスペース部の出射光量を計測するスペース部出射光量測定手段と、
前記出射光量平均値に対する前記マーク部の出射光量からスクープによるマーク部光量変動比と、前記出射光量平均値に対する前記スペース部の出射光量からスクープによるスペース部光量変動比を算出するスクープ測定手段と
前記出射光量平均値測定手段の出力を用いて、所定の再生パワー値となるようにレーザの出射光量を制御する再生パワー制御手段と、
記録媒体からの反射光を受光して反射光量を検出する反射光量検出手段と、
前記反射光量検出手段の検出光量のピーク値を検出するピーク値検出手段と、
前記反射光量検出手段の検出光量のボトム値を検出するボトム値検出手段と、
前記反射光量検出手段の検出光量の平均値を検出する平均値検出手段と、
前記ピーク値検出手段の出力を前記スペース部光量変動比で除算するピーク値スクープ補正手段と、
前記ボトム値検出手段の出力を前記マーク部光量変動比で除算するボトム値スクープ補正手段と、
前記ピーク値スクープ補正手段によって補正されたピーク値と、前記ボトム値スクープ補正手段によって補正されたボトム値と、前記平均値迷光補正手段によって補正された平均値を用いてβ値を算出するβ値算出手段と、
前記β値算出手段によって算出されたβ値と予め設定された目標β値との差分を算出する目標β値比較手段と、
前記目標β値比較手段によって算出された目標β値との差分により補正パワー値を生成し、前記記録ピークパワー制御手段に補正パワー値を出力する補正パワー値生成手段とを備えたことを特徴とする情報記録装置。
【請求項１１】
レーザ光を所定の情報に従い変調するとともに記録パワーを制御して記録媒体に照射し、その記録パワーの強弱により前記記録媒体の反射率が変化する記録マーク領域を形成することにより情報を記録し、レーザ出射光を所定の光量になるように制御して情報の再生が行われる情報記録方法において、
データの記録開始前に予め記録済み領域の反射光量の振幅測定から得られるアシンメトリ値の目標値とアシンメトリ値に対する記録パワーの変換係数を設定し、
データの記録の際は、所定の領域もしくは所定のレーザ周囲温度変化に達する時間の記録が行われた毎に記録を中断し、
前記記録中断の記録終端位置近傍の未記録領域の反射光量の振幅のピーク値と記録済み領域の反射光量の振幅のピーク値、ボトム値および最小記録データ長のマーク部の反射光量の振幅値と最小記録データ長のスペース部の反射光量の振幅値を計測し、
光量モニター用フォトディテクターによって検出される記録済み領域のレーザ出射光量の平均値を計測し、
記録済み領域の所定データ長のマーク部のレーザ出射光量を計測し、
記録済み領域の所定データ長のスペース部のレーザ出射光量を計測し、
前記出射光量平均値に対する前記マーク部のレーザ出射光量からスクープによるマ−ク部光量変動比を算出し、
前記出射光量平均値に対する前記スペース部のレーザ出射光量からスクープによるスペース部光量変動比を算出し、
前記記録済み領域の反射光量の振幅ピーク値を前記スペース部の出射光量変動比で除算し、
前記記録済み領域の反射光量の振幅ボトム値を前記マーク部の出射光量変動比で除算し、
前記記録済み領域の最小記録データ長のマーク部の反射光量の振幅値を前記スペース部の出射光量変動比で除算し、
前記記録済み領域の最小記録データ長のスペース部の反射光量の振幅値を前記マーク部の出射光量変動比で除算し、
前記スクープによる光量変動比で補正された記録済み領域の反射光量の振幅ピーク値とボトム値と最小記録データ長のマーク部およびスペース部の反射光量の振幅からアシンメトリ値を算出し、
前記アシンメトリ値の目標値と前記算出されたアシンメトリ値との差分を算出し、前記アシンメトリ値の差分と前記アシンメトリ値に対するパワー変換係数より記録パワーの補正量を算出し、前記記録中断前の記録パワーに前記記録パワーの補正量を加算した記録パワーで前記記録中断の記録終端位置から記録を再開することを特徴とする情報記録方法。
【請求項１２】
レーザ光を所定の情報に従い変調するとともに記録パワーを制御して記録媒体に照射し、その記録パワーの強弱により前記記録媒体の反射率が変化する記録マーク領域を形成することにより情報を記録し、レーザ出射光を所定の光量になるように制御して情報の再生が行われる情報記録装置において、
レーザの出射光量を検出する出射光量検出手段と、
前記出射光量検出手段の出力を用いて、所定の記録ピークパワー値となるようにレーザの出射光量を制御する記録ピークパワー制御手段と、
前記出射光量検出手段の出力を用いて、所定の記録バイアスパワー値となるようにレーザの出射光量を制御する記録バイアスパワー制御手段と、
前記出射光量検出手段の検出光量の平均値を計測する出射光量平均値測定手段と、
前記出射光量検出手段の検出光量の所定のデータ長のマーク部の出射光量を計測するマーク部出射光量測定手段と、
前記出射光量検出手段の検出光量の所定のデータ長のスペース部の出射光量を計測するスペース部出射光量測定手段と、
前記出射光量平均値に対する前記マーク部の出射光量からスクープによるマーク部光量変動比と、前記出射光量平均値に対する前記スペース部の出射光量からスクープによるスペース部光量変動比を算出するスクープ測定手段と
前記出射光量平均値測定手段の出力を用いて、所定の再生パワー値となるようにレーザの出射光量を制御する再生パワー制御手段と、
前記出射光量検出手段の出力を、記録時には前記記録ピークパワー制御手段と前記記録バイアスパワー制御手段に、再生時には前記出射光量平均値測定手段と前記マーク部出射光量測定手段と前記スペース部出射光量測定手段に切り換えて入力する記録再生切り換え手段と、
記録媒体からの反射光を受光して反射光量を検出する反射光量検出手段と、
前記反射光量検出手段の検出光量のピーク値を検出するピーク値検出手段と、
前記反射光量検出手段の検出光量のボトム値を検出するボトム値検出手段と、
前記反射光量検出手段の検出光量のボトム値を検出するボトム値検出手段と、
前記反射光量検出手段の検出光量の最小記録データ長のマーク部の反射光量の振幅値を検出する最小記録データ長マーク部振幅検出手段と、
前記反射光量検出手段の検出光量の最小記録データ長のスペース部の反射光量の振幅値を検出する最小記録データ長スペース部振幅検出手段と、
前記ピーク値検出手段の出力を前記スペース部光量変動比で除算するピーク値スクープ補正手段と、
前記ボトム値検出手段の出力を前記マーク部光量変動比で除算するボトム値スクープ補正手段と、
前記最小記録データ長スペース部振幅検出手段の出力を前記スペース部光量変動比で除算する最小記録データ長スペース部振幅値スクープ補正手段と、
前記最小記録データ長マーク部振幅検出手段の出力を前記マーク部光量変動比で除算する最小記録データ長マーク部振幅値スクープ補正手段と、
前記ピーク値スクープ補正手段によって補正されたピーク値と、前記ボトム値スクープ補正手段によって補正されたボトム値と前記最小記録データ長スペース部振幅値スクープ補正手段によって補正された最小記録データ長スペース部振幅値と前記最小記録データ長マーク部振幅値スクープ補正手段によって補正された最小記録データ長マーク部振幅値を用いてアシンメトリ値を算出するアシンメトリ値算出手段と、
前記アシンメトリ値算出手段によって算出されたアシンメトリ値と予め設定された目標アシンメトリ値との差分を算出する目標アシンメトリ値比較手段と、
前記目標アシンメトリ値比較手段によって算出された目標アシンメトリ値との差分により補正パワー値を生成し、前記記録ピークパワー制御手段に補正パワー値を出力する補正パワー値生成手段とを備えたことを特徴とする情報記録装置。
【請求項１３】
レーザ光を所定の情報に従い変調するとともに記録パワーを制御して多層記録媒体に照射し、その記録パワーの強弱により前記多層記録媒体の反射率が変化する記録マーク領域を形成することにより情報を記録し、レーザ出射光を所定の光量になるように制御して情報の再生が行われる情報記録方法において、
データの記録開始前に予め記録済み領域の反射光量の振幅測定から得られる変調度の目標値と変調度に対する記録パワーの変換係数を設定し、
データの記録の際は、所定の領域もしくは所定のレーザ周囲温度変化に達する時間の記録が行われた毎に記録を中断し、
前記記録中断の記録終端位置近傍の未記録領域の反射光量の振幅のピーク値と記録済み領域の反射光量の振幅のピーク値、ボトム値を計測し、
前記未記録領域の反射光量の振幅ピーク値と予め迷光調整において記憶手段に格納された迷光値から迷光量を算出し、
前記未記録領域の反射光量の振幅のピーク値と前記記録済み領域の反射光量の振幅のピーク値、ボトム値をそれぞれ前記迷光量で補正し、
光量モニター用フォトディテクターによって検出される記録済み領域のレーザ出射光量の平均値を計測し、
記録済み領域の所定データ長のマーク部のレーザ出射光量を計測し、
記録済み領域の所定データ長のスペース部のレーザ出射光量を計測し、
前記出射光量平均値に対する前記マーク部のレーザ出射光量からスクープによるマーク部光量変動比を算出し、
前記出射光量平均値に対する前記スペース部のレーザ出射光量からスクープによるスペース部光量変動比を算出し、
前記記録済み領域の迷光補正された反射光量の振幅ピーク値を前記スペース部の出射光量変動比で除算し、
前記記録済み領域の迷光補正された反射光量の振幅ボトム値を前記マーク部の出射光量変動比で除算し、
前記スクープによる光量変動比で補正された記録済み領域の反射光量の振幅ピーク値とボトム値から変調度を算出し、
前記変調度の目標値と前記算出された変調度との差分を算出し、前記変調度の差分と前記変調度に対するパワー変換係数より記録パワーの補正量を算出し、前記記録中断前の記録パワーに前記記録パワーの補正量を加算した記録パワーで前記記録中断の記録終端位置から記録を再開することを特徴とする情報記録方法。
【請求項１４】
レーザ光を所定の情報に従い変調するとともに記録パワーを制御して多層記録媒体に照射し、その記録パワーの強弱により前記多層記録媒体の反射率が変化する記録マーク領域を形成することにより情報を記録し、レーザ出射光を所定の光量になるように制御して情報の再生が行われる情報記録装置において、
レーザの出射光量を検出する出射光量検出手段と、
前記出射光量検出手段の出力を用いて、所定の記録ピークパワー値となるようにレーザの出射光量を制御する記録ピークパワー制御手段と、
前記出射光量検出手段の出力を用いて、所定の記録バイアスパワー値となるようにレーザの出射光量を制御する記録バイアスパワー制御手段と、
前記出射光量検出手段の検出光量の平均値を計測する出射光量平均値測定手段と、
前記出射光量検出手段の検出光量の所定のデータ長のマーク部の出射光量を計測するマーク部出射光量測定手段と、
前記出射光量検出手段の検出光量の所定のデータ長のスペース部の出射光量を計測するスペース部出射光量測定手段と、
前記出射光量平均値に対する前記マーク部の出射光量からスクープによるマーク部光量変動比と、前記出射光量平均値に対する前記スペース部の出射光量からスクープによるスペース部光量変動比を算出するスクープ測定手段と
前記出射光量平均値測定手段の出力を用いて、所定の再生パワー値となるようにレーザの出射光量を制御する再生パワー制御手段と、
前記出射光量検出手段の出力を、記録時には前記記録ピークパワー制御手段と前記記録バイアスパワー制御手段に、再生時には前記出射光量平均値測定手段と前記マーク部出射光量測定手段と前記スペース部出射光量測定手段に切り換えて入力する記録再生切り換え手段と、
記録媒体からの反射光を受光して反射光量を検出する反射光量検出手段と、
前記反射光量検出手段の検出光量のピーク値を検出するピーク値検出手段と、
前記反射光量検出手段の検出光量のボトム値を検出するボトム値検出手段と、
予め記憶されている未記録領域の反射光量のピーク値に対する迷光量を示す迷光値と、所定の未記録領域での前記ピーク値検出手段によって検出される未記録領域のピーク値から迷光量を算出する迷光量測定手段と、
前記ピーク値検出手段によって記録媒体の所定の記録済み領域の反射光量のピーク値から前記迷光量測定手段によって算出された迷光量を減算するピーク値迷光補正手段と、
前記ボトム値検出手段によって記録媒体の記録済み領域の反射光量のボトム値から前記迷光量測定手段によって算出された迷光量を減算するボトム値迷光補正手段と、
前記ピーク値迷光補正手段の出力を前記スペース部光量変動比で除算するピーク値スクープ補正手段と、
前記ボトム値迷光補正手段の出力を前記マーク部光量変動比で除算するボトム値スクープ補正手段と、
前記ピーク値スクープ補正手段によって補正されたピーク値と、前記ボトム値スクープ補正手段によって補正されたボトム値を用いて変調度を算出する変調度算出手段と、
前記変調度算出手段によって算出された変調度と予め設定された目標変調度との差分を算出する目標変調度比較手段と、
前記目標変調度比較手段によって算出された目標変調度との差分により補正パワー値を生成し、前記記録ピークパワー制御手段に補正パワー値を出力する補正パワー値生成手段とを備えたことを特徴とする情報記録装置。
【請求項１５】
請求項７、８、９、１０、１１、１２、１３、１４記載の所定のデータ長は、最大記録データ長とすることを特徴とする情報記録方法および情報記録装置。
【発明の詳細な説明】
【技術分野】
【０００１】
本発明は、レーザ光を所定の情報に従い変調するとともに光強度を制御して記録媒体に照射し、その照射光の強弱により前記記録媒体の反射率が変化する記録マーク領域を形成することにより情報を記録する情報記録方法及び情報記録装置に関するものである。
【背景技術】
【０００２】
近年、マルチメディアの普及に伴い、追記型光ディスクのＣＤ−Ｒや書き換え可能なＣＤ−ＲＷが急速に普及し、さらに大容量の追記型光ディスクのＤＶＤ−Ｒや、書き換え可能な光ディスクのＤＶＤ−ＲＷ、ＤＶＤ−ＲＡＭも実用化され普及しはじめている。いずれの光ディスクも情報を記録するために半導体レーザを光源とする光ピックアップ光学系を含む情報記録再生装置が用いられている。これらの情報記録再生装置では記録もしくは再生性能を高め、安定化するために様々な技術開発が行われてきた。その技術の一つに半導体レーザのパワー制御技術があり、たくさんの方式が提案されている。とりわけ、追記型光ディスクでは、データの書き換えができないため、いかに安定した記録状態が持続できるかが重要になってくる。データの記録開始前に、最適なレーザパワーを決定するパワーキャリブレーションを実行することや、データ記録開始後に、記録された領域の再生品位を確認しながら記録パワーを補正することは、記録品位を高め、またディスク全面にわたって記録品位を一定に保つためである。パワーキャリブレーションや記録直後の再生品位を確認するため、記録済み領域からの反射光量から算出されるアシンメトリやβ値、変調度が一般的にしばしば用いられる（例えば、特許文献１参照）。
【０００３】
図１３は、記録中にβ値を検出しながらパワー補正をおこなう動作を示すフローチャートである。予め目標β値とβ値に対するパワー補正量を設定し、記録中に記録された領域の反射光量振幅のピーク値とボトム値、平均値を検出し、ピーク値、ボトム値、平均値よりβ値および目標β値との差分を求め、目標β値との差分と既に設定されているβ値に対するパワー補正量からパワー補正量を算出し、記録パワーの変更を行って記録を行う方法である。
【特許文献１】特開２００１−３１２８２２号公報
【発明の開示】
【発明が解決しようとする課題】
【０００４】
解決しようとする問題点は、β値を検出する際に、記録マーク及びスペース部の反射光量の明暗（大小）によってレーザの出射光量が変動するスクープ現象が発生し、なおかつスクープ現象によるレーザの出射光量変動はディスク毎や同一ディスクの半径方向の位置によって異なる場合、レーザ出射光量一定での反射光量のピーク値、ボトム値から求まる本来のβ値からずれてしまい、誤ったパワー補正をおこなうという点である。
【０００５】
また、多層記録媒体を再生する際に、記録マーク及びスペース部の反射光量は、記録再生している記録層以外の他の記録層から反射光量が漏れ込む他層迷光の影響で、スクープ現象によるレーザ出射光量変動を検出するために必要な未記録領域の反射光量と記録済み領域のスペース部の反射光量の振幅測定が困難となり、レーザ出射光量一定での反射光量のピーク値、ボトム値から求まる本来のβ値からずれてしまい、誤ったパワー補正をおこなうという点である。
【０００６】
図１２は、スクープ現象と他層迷光によって反射光量のピーク値とボトム値が変動することを示す図である。
【０００７】
図１２において、他層迷光が発生すると、記録マーク部の反射光量のピーク値とスペース部の反射光量のボトム値と反射光量の平均値は、他層迷光がない場合と比較して他層迷光レベル分だけ大きなレベルとなる。また、スクープがない場合、レーザ出射光量に変動はない。記録マーク部で出射光量小、スペース部で出射光量大となるようなスクープが発生した場合は、反射光量のピーク値は、出射光量が変動しない場合と比較して大きなレベルになり、ボトム値は出射光量が変動しない場合と比較して小さなレベルになる。また、記録マーク部で出射光量大、スペース部で出射光量小となるようなスクープが発生した場合は、反射光量のピーク値は、出射光量が変動しない場合と比較して小さなレベルになり、ボトム値は出射光量が変動しない場合と比較して大きなレベルになる。いずれにせよスクープが発生した場合、本来のピーク値とボトム値から逸脱し、β値算出の際に誤差となる。
【課題を解決するための手段】
【０００８】
本発明は、β値を測定する際に、β値測定対象位置近傍の未記録領域での他層迷光を除去した反射光量振幅のピーク値と、β値測定対象位置の記録済み領域での他層迷光を除去した反射光量振幅のピーク値より、スクープによるレーザ出射光量変動量を算出し、β値測定対象位置の記録済み領域の反射光量振幅ピーク値とボトム値を出射光量一定時のピーク値とボトム値になるように補正することを最も主要な特徴とする。
【発明の効果】
【０００９】
本発明の情報記録方法および情報記録装置は、記録マーク及びスペース部の反射光量の明暗（大小）によってレーザの出射光量が変動するスクープ現象が発生し、なおかつスクープ現象によるレーザの出射光量変動はディスク毎や同一ディスクの半径方向の位置によって異なり、なおかつ多層記録媒体の再生時に他層迷光が発生した場合でも、スクープによるレーザ出射光量の変動を検出して、常にレーザ出射光量一定時と同じβ値が検出でき、正確なパワー補正が行え、ディスク全面にわたって安定した良好な記録品位を保つことができるという利点がある。
【発明を実施するための最良の形態】
【００１０】
スクープによるレーザ出射光量の変動を検出するという目的を、従来のβ値検出するため反射光量の振幅測定回路を用いることと、予め他層迷光量が除去できるように情報記録装置の製造工程において調整することで、新規な測定回路の追加が不要で安価で容易に実現した。また、スクープによるレーザ出射光量の変動を検出する回路を新規に追加することで、β値およびアシンメトリ値検出に他層迷光量の補正が不要になり、高精度なレーザ出射光量の変動量の検出を実現した。
【００１１】
（実施の形態１）
図１は、本発明の実施の形態１の情報記録装置の構成を示すブロック図である。図２に本発明の実施の形態１の情報記録方法の動作を示すフローチャートを示す。
【００１２】
図１において、１は、情報の記録再生可能な多層を含む光ディスクである。２は光ディスク１を回転させるスピンドルモータである。３は、光ディスク１への記録もしくは再生時に所定の光量で発光可能なレーザダイオードである。４は、レーザダイオード３の出射光と光ディスク１からの戻り光を分けるビームスプリッターである。５は、光ディスク１の記録もしくは再生可能な領域にレーザ光を集光する対物レンズである。６は、レーザダイオード３が出射する光の一部を検出する光量モニター用フォトディテクタである。７は、光量モニター用フォトディテクタ６の電流出力を電圧に変換するＩ／Ｖ変換回路である。
【００１３】
８は、Ｉ／Ｖ変換回路７の出力の周波数の帯域を減衰する低域通過フィルタ（ＬＰＦ）である。９は、光量モニター用フォトディテクタ６の電流出力を増幅する電圧増幅器（ＡＭＰ）である。１０は、ＬＰＦ８の出力を所定のタイミングでサンプルホールドするサンプルホールド回路（Ｓ／Ｈ）である。１１は、ＡＭＰ９の出力を所定のタイミングサンプルホールドするサンプルホールド回路（Ｓ／Ｈ）である。１２は、Ｓ／Ｈ１０の出力を記録発光の平均パワーとして検出するｍｐ検出器である。１３は、Ｓ／Ｈ１１の出力を記録発光のバイアスパワーとして検出するｓｐ検出器である。
【００１４】
１４は、記録発光のピークパワーを制御するピークパワー制御回路である。１５は、記録発光のバイアスパワーを制御するバイアスパワー制御回路である。１６は、レーザダイオード３を、ピークパワー制御回路１４とバイアスパワー制御回路１５とで制御されるパワーで発光させるＬＤ駆動回路である。１７は、光ディスク１からの戻り光を検出する複数個からなる戻り光検出用フォトディテクタである。１８は、複数個からなる戻り光検出用フォトディテクタ１７の各電流出力を電圧に変換する複数個からなるＩ／Ｖ変換回路である。１９は、複数個からＩ／Ｖ変換回路１８の出力を加算するＲＦ加算器である。
【００１５】
１７〜１９は、記録媒体の記録マーク領域からの反射光を受光して反射光量を検出する反射光量検出手段の例である。
【００１６】
２０は、ＲＦ加算器１９の出力のピークレベルを検波するピーク検波回路である。２１は、ピーク検波回路の出力をサンプルホールドしてピーク値を測定するピーク値測定回路である。
【００１７】
２０〜２１は、反射光量のピーク値を検出するピーク値検出手段の例である。
【００１８】
２２は、ＲＦ加算器１９の出力のボトムレベルを検波するボトム検波回路である。２３は、ボトム検波回路の出力をサンプルホールドしてボトム値を測定するボトム値測定回路である。
【００１９】
２２〜２３は、反射光量のボトム値を検出するボトム値検出手段の例である。
２４は、ＲＦ加算器１９の出力の周波数の帯域を減衰させ、ＡＣ成分がほとんどない略ＤＣレベルにする低域通過フィルタ（ＬＰＦ）である。２５は、低域通過フィルタ（ＬＰＦ）２４の出力をサンプルホールドしてＲＦ加算器１９の出力の平均値を測定する平均値測定回路である。
【００２０】
２４〜２５は、反射光量の平均値を検出する平均値検出手段の例である。
【００２１】
２６は、予め記憶されている未記録領域の反射光量のピーク値に対する迷光量を示す迷光値と、所定の未記録領域でのピーク値測定回路２１によって検出される未記録領域のピーク値から迷光量を算出する迷光量測定回路である。２７は、ピーク値測定回路２１の出力から迷光量測定回路２６で算出された迷光量を減算するピーク値迷光補正回路である。２８は、ボトム値測定回路２３の出力から迷光量測定回路２６で算出された迷光量を減算するボトム値迷光補正回路である。２９は、平均値測定回路２５の出力から迷光量測定回路２６で算出された迷光量を減算する平均値迷光補正回路である。
【００２２】
３０は、所定の未記録領域でのピーク値迷光補正回路２７によって迷光補正された未記録領域ピーク値と、所定の記録済み領域でのピーク値迷光補正回路２７によって迷光補正された記録済み領域ピーク値から、スクープによる記録マークおよびスペース部でのレーザの出射光量の変動量を算出し、前記変動量を用いて出射光量の変動を補正するスクープ補正係数を算出するスクープ測定回路である。３１は、スクープ測定回路３０によって算出されたスクープ補正係数を用いて記録済み領域でのピーク値迷光補正回路２７によって迷光補正されたピーク値をスクープ補正するピーク値スクープ補正回路である。３２は、スクープ測定回路３０によって算出されたスクープ補正係数を用いて記録済み領域でのボトム値迷光補正回路２７によって迷光補正されたボトム値をスクープ補正するボトム値スクープ補正回路である。３３は、ピーク値スクープ補正回路３１の出力と、ボトム値スクープ補正回路３２の出力と、平均値迷光補正回路２９の出力よりβ値を算出するβ値算出回路である。３４は、β値算出回路３３によって算出されたβ値と予め設定された目標β値との差分を算出する目標β値比較回路である。３５は、目標β値比較回路によって算出された目標β値との差分により補正パワー値を生成し、ピークパワー制御回路１４に補正パワー値を出力する補正パワー算出回路である。
【００２３】
次に、このような本発明の実施の形態１の動作を説明する。
【００２４】
データの記録開始前に予め記録済み領域の振幅測定から得られるβ値の目標値を目標β値比較回路３４に設定し、β値に対する記録パワーの変換係数を補正パワー算出回路３５に設定する。データの記録の際は、所定の領域もしくは所定のレーザ周囲温度変化に達する時間の記録が行われた毎に記録中断し、記録中断の記録終端位置近傍の未記録領域へシークし、未記録領域の振幅のピーク値をピーク値測定回路２１で測定する。次に、記録終端位置近傍の記録済み領域へシークし、記録済み領域の振幅のピーク値、ボトム値および平均値をピーク値測定回路２１、ボトム値測定回路２３、平均値測定回路２５で測定する。
【００２５】
次に、前記未記録領域の振幅ピーク値と予め他層迷光調整において記憶手段に格納された迷光値から迷光量を迷光量測定回路２６で算出する。格納されている迷光値は、未記録領域の反射光量に対する振幅比なので、ピーク値測定回路２１で検出された記録中断の記録終端位置近傍の未記録領域のピーク値の迷光値を乗算すれば迷光量が求まる。次に前記未記録領域の振幅のピーク値と前記記録済み領域の振幅のピーク値、ボトム値および平均値を、ピーク値迷光補正回路２７、ボトム値迷光補正回路２８、平均値迷光補正回路２９でそれぞれ迷光量で補正する。迷光補正した未記録領域と記録済み領域の振幅ピーク値から、スクープによる記録スペース部でのレーザの出射光量の変動量を算出する。
【００２６】
出射光量の変動量算出方法は、まず、予めスクープ測定回路３０に、スクープが発生しない時の、未記録領域での振幅のピーク値に対する、目標β値相当の記録済み領域での振幅のピーク値の比である反射率比γを設定する。反射率比γは、ディスク種類毎、記録速度毎の定数として、情報記録装置内のファームウエア内に格納されている。次に記録終端位置近傍での未記録領域の振幅のピーク値に対する記録済み領域での振幅のピーク値の比をγ’として算出し、前記スクープがない時のγに対するγ’の比をＳ（＝γ’／γ）として算出する。Ｓ値が、記録スペース部での出射光量変動比となる。また記録マーク部での出射光量変動は、記録データが、マークとスペースの出現頻度がほぼ同じになるランダムパターンとなっていると考えられ、またデータのマークおよびスペース長の周期より十分低い帯域で出射光量モニター用フォトダイオード６の出力を用いて再生パワー制御をおこなっていることから、平均出射光量レベル１に対して記録スペース部の出射光量変動分レベルＳ−１を差し引いた量に値する。すなわち記録マーク部の出射光量変動比は、１−（Ｓ−１）となり、式を整理して２−Ｓとなる。
【００２７】
これらの出射光量変動比より、反射光量のピーク値とボトム値を同一出射光量で正規化するためにスクープ測定回路３０は、ピーク値のスクープ補正係数を１／Ｓ、ボトム値のスクープ補正係数を１／（２−Ｓ）を算出する。
【００２８】
次に、ピーク値スクープ補正回路３１によって、記録済み領域でのピーク値にピーク値のスクープ補正係数１／Ｓを乗算してピーク値を補正する。同様に記録済み領域でのボトム値にボトム値のスクープ補正係数１／（２−Ｓ）を乗算してボトム値を補正する。
【００２９】
次に、β値算出回路３３によって、前記記録済み領域の迷光補正された平均値と前記迷光補正およびスクープ補正された記録済み領域の振幅ピーク値とボトム値からβ値を算出し、目標β値比較回路３４によって前記β値の目標値と前記算出されたβ値との差分を算出し、補正パワー算出回路３５によって、前記β値の差分と前記β値に対するパワー変換係数より記録パワーの補正量を算出する。前記記録中断前の記録パワーに前記記録パワーの補正量を加算した記録パワーで前記記録中断の記録終端位置から記録を再開する。
【００３０】
記録終了するまでに、所定の記録単位毎にスクープ補正によるβ値検出を実施し、随時パワー補正を行う。
【００３１】
このように、本発明の実施の形態１によれば、記録マーク及びスペース部の反射光量の明暗（大小）によってレーザの出射光量が変動するスクープ現象が発生し、なおかつスクープ現象によるレーザの出射光量変動はディスク毎や同一ディスクの半径方向の位置によって異なり、なおかつ多層記録媒体の再生時に他層迷光が発生した場合でも、スクープによるレーザ出射光量の変動を検出して、常にレーザ出射光量一定時と同じβ値が検出でき、正確なパワー補正が行え、ディスク全面にわたって安定した良好な記録品位を保つことができる。
【００３２】
また、データの記録開始前に予め補正パワー算出回路３５に設定するβ値に対する記録パワーの変換係数は、データの記録開始に先立って所定のβ値となるような記録パワーを求めるパワーキャリブレーション動作において、記録パワーを可変しながら記録した後、各記録パワーでのβ値を測定し、所定のβ値近傍におけるβ値の変化量に対する記録パワーの変化量を算出することで、記録パルス幅や、記録速度に依存しない正確なパワー補正量を算出できる。
【００３３】
（実施の形態２）
図３は、本発明の実施の形態２の情報記録装置の構成を示すブロック図である。
【００３４】
本発明の実施の形態１と異なる点は、迷光補正およびスクープ補正された記録済み領域の反射光量のピーク値とボトム値から変調度を算出し、目標変調度との差分と変調度に対するパワー変換係数より記録パワーの補正量を算出する点である。変調度はβ値同様に記録パワーに対して変化するパラメータである。変調度は、記録済みの反射光量のピーク値に対するピーク値からボトム値を差し引いた値の比を示すものである。ディスクの記録膜材料の違いによっては、パワーに対するβ値の変化量より変調度の変化量が大きいものもあり、β値より変調度を検出してパワー補正を行う方が有効な場合もある。
【００３５】
図３において、５３は、ピーク値スクープ補正回路３１の出力と、ボトム値スクープ補正回路３２の出力より変調度を算出する変調度算出回路である。５４は、変調度算出回路５３によって算出された変調度と予め設定された目標変調度との差分を算出する目標変調度比較回路である。
【００３６】
変調度算出回路５３によって、記録済み領域の迷光補正およびスクープ補正された記録済み領域の振幅ピーク値とボトム値から変調度を算出し、目標変調度比較回路５４によって前記変調度の目標値と前記算出された変調度との差分を算出し、補正パワー算出回路３５によって、前記変調度の差分と変調度に対するパワー変換係数より記録パワーの補正量を算出する。本発明の実施の形態１と同様に、記録中断前の記録パワーに前記記録パワーの補正量を加算した記録パワーで記録中断の記録終端位置から記録を再開し、記録終了するまでに、所定の記録単位毎にスクープ補正による変調度検出を実施し、随時パワー補正を行う。
【００３７】
このように、本発明の実施の形態２によれば、記録マーク及びスペース部の反射光量の明暗（大小）によってレーザの出射光量が変動するスクープ現象が発生し、なおかつスクープ現象によるレーザの出射光量変動はディスク毎や同一ディスクの半径方向の位置によって異なり、なおかつ多層記録媒体の再生時に他層迷光が発生した場合でも、スクープによるレーザ出射光量の変動を検出して、常にレーザ出射光量一定時と同じ変調度が検出でき、正確なパワー補正が行え、ディスク全面にわたって安定した良好な記録品位を保つことができる。
【００３８】
また、データの記録開始前に予め補正パワー算出回路３５に設定する変調度に対する記録パワーの変換係数は、データの記録開始に先立って所定の変調度となるような記録パワーを求めるパワーキャリブレーション動作において、記録パワーを可変しながら記録した後、各記録パワーでの変調度を測定し、所定の変調度近傍における変調度の変化量に対する記録パワーの変化量を算出することで、記録パルス幅や、記録速度に依存しない正確なパワー補正量を算出できる。
【００３９】
（実施の形態３）
図４は、本発明の実施の形態３の情報記録装置の構成を示すブロック図である。
【００４０】
本発明の実施の形態１と異なる点は、記録済み領域の反射光量の平均値を検出するかわりに、あらたに記録済み領域の最小データ長のマーク部とスペース部の反射光量の振幅を
検出することで、迷光補正およびスクープ補正された記録済み領域の反射光量のピーク値とボトム値と最小データ長のマーク部の振幅値およびスペース部の振幅値からアシンメトリを算出し、目標アシンメトリとの差分とアシンメトリに対するパワー変換係数より記録パワーの補正量を算出する点である。
【００４１】
図４において、４６は、ＲＦ加算器１９の出力の最小データ長のマーク部とスペース部の反射光量の振幅を検出する最小データ長マーク部／スペース部振幅測定回路である。
【００４２】
４７は、最小データ長マーク部／スペース部振幅測定回路４６の出力から迷光量測定回路２６で算出された迷光量を減算するマーク部／スペース部振幅値迷光補正回路である。
【００４３】
４８は、スクープ測定回路３０によって算出されたスクープ補正係数を用いて記録済み領域でのマーク部／スペース部振幅値迷光補正回路４７によって迷光補正された最小データ長のマーク部とスペース部の反射光量の振幅をスクープ補正するマーク部／スペース部振幅値スクープ補正回路である。４９は、ピーク値スクープ補正回路３１の出力と、ボトム値スクープ補正回路３２の出力とマーク部／スペース部振幅値スクープ補正回路４８の出力よりアシンメトリを算出するアシンメトリ算出回路である。５０は、アシンメトリ算出回路４９によって算出されたアシンメトリと予め設定された目標アシンメトリとの差分を算出する目標アシンメトリ比較回路である。
【００４４】
アシンメトリαは、最小データ長のスペース部の反射光量の振幅レベルをｈ、最小データ長のマーク部の反射光量の振幅レベルをｌ、反射光量振幅のピークレベルをｐ、反射光量振幅のボトムレベルをｂとした時に、
α＝（（ｐ＋ｂ）／２−（ｈ＋ｌ）／２）／（ｐ−ｂ）
であらわされる。
【００４５】
アシンメトリはβ値同様に記録パワーに対して変化するパラメータである。
【００４６】
最小データ長マーク部／スペース部振幅値測定回路４６は、最小データ長のスペース部の振幅値と最小データ長のマーク部の振幅値を測定し、アシンメトリ算出回路４９によって、迷光補正およびスクープ補正された記録済み領域の振幅ピーク値とボトム値と最小データ長のスペース部の振幅値と最小データ長のマーク部の振幅値からアシンメトリを算出し、目標アシンメトリ比較回路５０によって前記アシンメトリの目標値と前記算出されたアシンメトリとの差分を算出し、補正パワー算出回路３１によって、前記アシンメトリの差分とアシンメトリに対するパワー変換係数より記録パワーの補正量を算出する。本発明の実施の形態１と同様に、記録中断前の記録パワーに前記記録パワーの補正量を加算した記録パワーで記録中断の記録終端位置から記録を再開し、記録終了するまでに、所定の記録単位毎にスクープ補正によるアシンメトリ検出を実施し、随時パワー補正を行う。
【００４７】
このように、本発明の実施の形態３によれば、記録マーク及びスペース部の反射光量の明暗（大小）によってレーザの出射光量が変動するスクープ現象が発生し、なおかつスクープ現象によるレーザの出射光量変動はディスク毎や同一ディスクの半径方向の位置によって異なり、なおかつ多層記録媒体の再生時に他層迷光が発生した場合でも、スクープによるレーザ出射光量の変動を検出して、常にレーザ出射光量一定時と同じアシンメトリが検出でき、正確なパワー補正が行え、ディスク全面にわたって安定した良好な記録品位を保つことができる。
【００４８】
また、データの記録開始前に予め補正パワー算出回路３５に設定するアシンメトリに対する記録パワーの変換係数は、データの記録開始に先立って所定のアシンメトリとなるような記録パワーを求めるパワーキャリブレーション動作において、記録パワーを可変しながら記録した後、各記録パワーでのアシンメトリ値を測定し、所定のアシンメトリ値近傍におけるアシンメトリ値の変化量に対する記録パワーの変化量を算出することで、記録パルス幅や、記録速度に依存しない正確なパワー補正量を算出できる。
（実施の形態４）
図５は、本発明の実施の形態４の他層迷光調整装置の構成を示すブロック図である。図６に本発明の実施の形態４の他層迷光調整方法の動作を示すフローチャートを示す。
【００４９】
図５において、５１は、他層からの迷光の影響がない状態で予め計測された記録済み領域のスペース部の振幅に対する記録マーク部とスペース部の振幅差を示す変調度が既知な多層記録媒体である。２は多層記録媒体５１を回転させるスピンドルモータである。３は、多層記録媒体５１への記録もしくは再生時に所定の光量で発光可能なレーザダイオードである。４は、レーザダイオード３の出射光と多層記録媒体５１からの戻り光を分けるビームスプリッターである。５は、多層記録媒体５１の再生可能な領域にレーザ光を集光する対物レンズである。６は、レーザダイオード３が出射する光の一部を検出する光量モニター用フォトディテクタである。７は、光量モニター用フォトディテクタ６の電流出力を電圧に変換するＩ／Ｖ変換回路である。
【００５０】
３６は、Ｉ／Ｖ変換回路７の出力の所定のデータ長マーク部の出射光量をサンプルホールドする長マーク部Ｓ／Ｈ回路である。３７は、Ｉ／Ｖ変換回路７の出力の所定のデータ長スペース部の出射光量をサンプルホールドする長スペース部Ｓ／Ｈ回路である。３８は、Ｉ／Ｖ変換回路７の出力の周波数の帯域を減衰する低域通過フィルタ（ＬＰＦ）である。３９は、長マーク部Ｓ／Ｈ回路３６の出力をレーザの出射光量の所定のデータ長マーク部での光量として計測するマーク部出射光量測定回路である。
【００５１】
４０は、長スペース部Ｓ／Ｈ回路３７出力をレーザの出射光量の所定のデータ長スペース部での光量として計測するスペース部出射光量測定回路である。４１は、低域通過フィルタ（ＬＰＦ）３８の出力をレーザの出射光量の平均値として計測する出射光量平均値測定回路である。４２は、出射光量平均値測定回４１の出力に対するマーク部出射光量測定回路３９の出力からスクープによるマーク部光量変動比と、出射光量平均値測定回４９の出力に対するスペース部出射光量測定回路４０の出力からスクープによるスペース部光量変動比を算出するスクープ測定回路である。
【００５２】
４３は、出射光量平均値測定回路４１を用いて、所定の再生パワー値となるようにレーザの出射光量を制御する再生パワー制御回路である。１６は、レーザダイオード３を、再生パワー制御回路４３で制御されるパワーで発光させるＬＤ駆動回路である。１７は、多層記録媒体５１からの戻り光を検出する複数個からなる戻り光検出用フォトディテクタである。１８は、複数個からなる戻り光検出用フォトディテクタ１７の各電流出力を電圧に変換する複数個からなるＩ／Ｖ変換回路である。１９は、複数個からＩ／Ｖ変換回路１８の出力を加算するＲＦ加算器である。
【００５３】
１７〜１９は、記録媒体の記録マーク領域からの反射光を受光して反射光量を検出する反射光量検出手段の例である。
【００５４】
２０は、ＲＦ加算器１９の出力のピークレベルを検波するピーク検波回路である。２１は、ピーク検波回路の出力をサンプルホールドしてピーク値を測定するピーク値測定回路である。
【００５５】
２０〜２１は、反射光量のピーク値を検出するピーク値検出手段の例である。
【００５６】
２２は、ＲＦ加算器１９の出力のボトムレベルを検波するボトム検波回路である。２３は、ボトム検波回路の出力をサンプルホールドしてボトム値を測定するボトム値測定回路である。
【００５７】
２２〜２３は、反射光量のボトム値を検出するボトム値検出手段の例である。
【００５８】
５５は、スクープ測定回路４２によって算出されたスクープによるスペース部光量変動比を用いて記録済み領域でのピーク値測定回路２１の出力をスクープ補正するピーク値スクープ補正回路である。５６は、スクープ測定回路４２によって算出されたスクープによるマーク部光量変動比を用いて記録済み領域でのボトム値測定回路２３の出力をスクープ補正するボトム値スクープ補正回路である。４４は、ピーク値スクープ補正回路５５の出力からボトム値スクープ補正回路５６の出力を減算した値をピーク値スクープ補正回路５５の出力で除算した変調度と、前記多層媒体の予め他層からの迷光がない状態で計測された変調度から他層からの迷光量を算出する迷光測定回路である。４５は、多層記録媒体４３の記録済み領域近傍の未記録領域を再生し、ピーク値測定回路２１の出力に対する迷光量測定回路４４で算出された迷光量を迷光値として算出し、情報記録装置の記憶手段に前記迷光値を格納する迷光値格納回路である。
【００５９】
次に、このような本発明の実施の形態４の動作を説明する。
他層からの迷光の影響がない状態で予め計測された記録済み領域のスペース部の振幅に対する記録マーク部とスペース部の振幅差を示す変調度が既知な多層記録媒体４３の記録済み領域へシークする。次に光量モニター用フォトディテクター６およびＩ／Ｖ変換回路７によって記録済み領域でのレーザ出射光量を検出し、ＬＰＦ３８及び出射光量平均値測定回路４１でレーザ出射光量の平均値を計測する。次に出射光量の平均値を用いて再生パワー制御回路４３は記録データの周波数より低い周波数帯域で再生レーザパワーを制御する。
【００６０】
次に、記録済み領域の所定データ長のマーク部のレーザ出射光量を長マーク部Ｓ／Ｈ回路３６およびマーク部出射光量測定回路３９を用いて計測し、記録済み領域の所定データ長のスペース部のレーザ出射光量を長スペース部Ｓ／Ｈ回路３７およびスペース部出射光量測定回路４０を用いて計測する。
【００６１】
次に、スクープ測定回路４２によって、出射光量の平均値に対する前記マーク部のレーザ出射光量からスクープによるマーク部光量変動比と前記出射光量の平均値に対する前記スペース部のレーザ出射光量からスクープによるスペース部光量変動比を算出する。
【００６２】
次に、多層記録媒体４３の記録済み領域からの反射光量の記録マーク部の振幅ピーク値を、ピーク値測定回路２１を用いて計測し、スペース部の振幅ボトム値を、ボトム値測定回路２３を用いて計測する。
【００６３】
次に、ピーク値スクープ補正回路５５を用いて、反射光量のピーク値をスペース部の出射光量変動比で除算し、ボトム値スクープ補正回路５６を用いて、反射光量のボトム値をマーク部の出射光量変動比で除算することで、ピーク値とボトム値をスクープ補正する。
【００６４】
次に、迷光測定回路４４を用いて、スクープ補正された反射光量のピーク値からスクープ補正された反射光量のボトム値を減算した値をスクープ補正された反射光量のピーク値で除算して変調度を算出し、予め他層からの迷光がない状態で計測された変調度と前記算出  された変調度から他層からの迷光量を算出する。
【００６５】
例えば、迷光量Ｋは、多層記録媒体５１の既知変調度をＭ、スクープ補正された反射光量のピークレベルをＨ、スクープ補正された反射光量のボトムレベルをＬとした時に、
Ｍ＝｛（Ｈ−Ｋ）−（Ｌ−Ｋ）｝／（Ｈ−Ｋ）
であらわされ、式を整理すると
Ｋ＝｛（Ｍ−１）×Ｈ＋Ｌ｝／Ｍ
であらわされる。
【００６６】
次に、多層記録媒体４３の記録済み領域近傍の未記録領域を再生し、未記録領域の反射光量のピーク値をピーク値測定回路２１で計測し、未記録領域の反射光量のピーク値に対する迷光量を迷光値として算出し、迷光値格納回路４５を用いて情報記録装置の記憶手段に格納する。
【００６７】
このように、本発明の実施の形態４によれば、多層媒体の反射光量の振幅値を用いてスクープ補正や変調度の算出を行う場合でも、他層からの迷光量を除去でき、スクープによるレーザ出射光量の変動を検出して、常にレーザ出射光量一定時と同じβ値が検出でき、正確なパワー補正が行え、ディスク全面にわたって安定した良好な記録品位を保つことができる。
【００６８】
なお、他層迷光調整に用いる多層記録媒体の既知変調度は、他層迷光の影響がでない光ピックアップが搭載された装置で計測されるが、記録済み光ディスクの記録品位を反射光量の信号で確認する再生専用光ピックアップ搭載の再生専用の標準機や評価機で計測してもよい。
【００６９】
（実施の形態５）
図７は、本発明の実施の形態５の情報記録装置の構成を示すブロック図である。図８に本発明の実施の形態５の情報記録方法の動作を示すフローチャートを示す。
【００７０】
本発明の実施の形態１と異なる点は、記録マーク及びスペース部の反射光量の明暗（大小）によってレーザの出射光量が変動するスクープの測定方法が、実施の形態１では。迷光補正した未記録領域と記録済み領域の反射光量の振幅ピーク値から、スクープによる記録スペース部でのレーザの出射光量の変動量を算出するのに対して、レーザの出射光量の平均値に対するマーク部のレーザ出射光量からスクープによるマーク部光量変動比とレーザの出射光量の平均値に対するスペース部のレーザ出射光量からスクープによるスペース部光量変動比を算出する点である。レーザの出射光量のマーク部とスペース部でのそれぞれ光量変動比で、反射光量のピーク値とボトム値を補正する動作および手段は、実施の形態４と同じである。
【００７１】
図７において、５２は、出射光量検出手段であるＩ／Ｖ変換回路７の出力を、記録時には記録ピークパワー制御手段と記録バイアスパワー制御手段に、再生時には出射光量平均値測定手段とマーク部出射光量測定手段とスペース部出射光量測定手段に切り換えて入力する記録再生切り換え回路である。
【００７２】
次に、このような本発明の実施の形態５動作を説明する。
【００７３】
データの記録開始前に予め記録済み領域の振幅測定から得られるβ値の目標値を目標β値比較回路３４に設定し、β値に対する記録パワーの変換係数を補正パワー算出回路３５に設定する。データの記録の際は、所定の領域もしくは所定のレーザ周囲温度変化に達する時間の記録が行われた毎に記録中断し、記録中断の記録終端位置近傍の未記録領域へシークし、未記録領域の振幅のピーク値をピーク値測定回路２１で測定する。次に、記録終端位置近傍の記録済み領域へシークし、記録済み領域の振幅のピーク値、ボトム値および平均値をピーク値測定回路２１、ボトム値測定回路２３、平均値測定回路２５で測定する。
【００７４】
次に、光量モニター用フォトディテクター６およびＩ／Ｖ変換回路７によって記録済み領域でのレーザ出射光量を検出し、記録再生切り換え回路５２によって再生時は出射光量は、出射光量検出手段であるＩ／Ｖ変換回路７の出力を、ＬＰＦ３８および長マーク部Ｓ／Ｈ回路３６および長スペース部Ｓ／Ｈ回路３７に入力する。次にＬＰＦ３８及び出射光量平均値測定回路４１でレーザ出射光量の平均値を計測する。次に出射光量の平均値を用いて再生パワー制御回路４３は記録データの周波数より低い周波数帯域で再生レーザパワーを制御する。
【００７５】
次に、記録済み領域の所定データ長のマーク部のレーザ出射光量を長マーク部Ｓ／Ｈ回路３６およびマーク部出射光量測定回路３９を用いて計測し、記録済み領域の所定データ長のスペース部のレーザ出射光量を長スペース部Ｓ／Ｈ回路３７およびスペース部出射光量測定回路４０を用いて計測する。
【００７６】
次に、スクープ測定回路４２によって、出射光量の平均値に対する前記マーク部のレーザ出射光量からスクープによるマーク部光量変動比と前記出射光量の平均値に対する前記スペース部のレーザ出射光量からスクープによるスペース部光量変動比を算出する。
【００７７】
次に、ピーク値スクープ補正回路５５を用いて、反射光量のピーク値をスペース部の出射光量変動比で除算し、ボトム値スクープ補正回路５６を用いて、反射光量のボトム値をマーク部の出射光量変動比で除算することで、ピーク値とボトム値をスクープ補正する。
【００７８】
次に、β値算出回路３３によって、前記記録済み領域の反射光量の平均値とスクープ補正された記録済み領域の振幅ピーク値とボトム値からβ値を算出し、目標β値比較回路３４によって前記β値の目標値と前記算出されたβ値との差分を算出し、補正パワー算出回路３５によって、前記β値の差分と前記β値に対するパワー変換係数より記録パワーの補正量を算出する。前記記録中断前の記録パワーに前記記録パワーの補正量を加算した記録パワーで前記記録中断の記録終端位置から記録を再開する。
【００７９】
記録終了するまでに、所定の記録単位毎にスクープ補正によるβ値検出を実施し、随時パワー補正を行う。
【００８０】
このように、本発明の実施の形態５によれば、記録マーク及びスペース部の反射光量の明暗（大小）によってレーザの出射光量が変動するスクープ現象が発生し、なおかつスクープ現象によるレーザの出射光量変動はディスク毎や同一ディスクの半径方向の位置によって異なり、なおかつ多層記録媒体の再生時に他層迷光が発生の有無にかかわらず、スクープによるレーザ出射光量の変動を検出して、常にレーザ出射光量一定時と同じβ値が検出でき、正確なパワー補正が行え、ディスク全面にわたって安定した良好な記録品位を保つことができる。また、スクープによるレーザ出射光量の変動を検出する回路を新規に追加することで、β値検出に他層迷光量の補正が不要になり、高精度なレーザ出射光量の変動量の検出が実現できる。
【００８１】
（実施の形態６）
図９は、本発明の実施の形態６の情報記録装置の構成を示すブロック図である。
【００８２】
本発明の実施の形態５と異なる点は、記録済み領域の反射光量の平均値を検出するかわりに、記録済み領域の最小データ長のマーク部とスペース部の反射光量の振幅を検出することで、スクープ補正された記録済み領域の反射光量のピーク値とボトム値と最小データ長のマーク部の振幅値およびスペース部の振幅値からアシンメトリを算出し、目標アシンメトリとの差分とアシンメトリに対するパワー変換係数より記録パワーの補正量を算出する点である。
【００８３】
最小データ長マーク部／スペース部振幅値測定回路４６は、最小データ長のスペース部の振幅値と最小データ長のマーク部の振幅値を測定し、アシンメトリ算出回路４９によって、スクープ補正された記録済み領域の振幅ピーク値とボトム値と最小データ長のスペース部の振幅値と最小データ長のマーク部の振幅値からアシンメトリを算出し、目標アシンメトリ比較回路５０によって前記アシンメトリの目標値と前記算出されたアシンメトリとの差分を算出し、補正パワー算出回路３１によって、前記アシンメトリの差分とアシンメトリに対するパワー変換係数より記録パワーの補正量を算出する。本発明の実施の形態５と同様に、記録中断前の記録パワーに前記記録パワーの補正量を加算した記録パワーで記録中断の記録終端位置から記録を再開し、記録終了するまでに、所定の記録単位毎にスクープ補正によるアシンメトリ検出を実施し、随時パワー補正を行う。
【００８４】
このように、本発明の実施の形態６によれば、記録マーク及びスペース部の反射光量の明暗（大小）によってレーザの出射光量が変動するスクープ現象が発生し、なおかつスクープ現象によるレーザの出射光量変動はディスク毎や同一ディスクの半径方向の位置によって異なり、なおかつ多層記録媒体の再生時に他層迷光が発生の有無にかかわらず、スクープによるレーザ出射光量の変動を検出して、常にレーザ出射光量一定時と同じアシンメトリ値が検出でき、正確なパワー補正が行え、ディスク全面にわたって安定した良好な記録品位を保つことができる。また、スクープによるレーザ出射光量の変動を検出する回路を新規に追加することで、アシンメトリ値検出に他層迷光量の補正が不要になり、高精度なレーザ出射光量の変動量の検出が実現できる。
【００８５】
（実施の形態７）
図１０は、本発明の実施の形態７の情報記録装置の構成を示すブロック図である。図１１に本発明の実施の形態７の情報記録方法の動作を示すフローチャートを示す。
【００８６】
本発明の実施の形態５と異なる点は、迷光補正およびスクープ補正された記録済み領域の反射光量のピーク値とボトム値から変調度を算出し、目標変調度との差分と変調度に対するパワー変換係数より記録パワーの補正量を算出する点である。
【００８７】
変調度算出回路５３によって、記録済み領域の迷光補正およびスクープ補正された記録済み領域の振幅ピーク値とボトム値から変調度を算出し、目標変調度比較回路５４によって前記変調度の目標値と前記算出された変調度との差分を算出し、補正パワー算出回路３５によって、前記変調度の差分と変調度に対するパワー変換係数より記録パワーの補正量を算出する。本発明の実施の形態１と同様に、記録中断前の記録パワーに前記記録パワーの補正量を加算した記録パワーで記録中断の記録終端位置から記録を再開し、記録終了するまでに、所定の記録単位毎にスクープ補正による変調度検出を実施し、随時パワー補正を行う。
【００８８】
このように、本発明の実施の形態７によれば、記録マーク及びスペース部の反射光量の明暗（大小）によってレーザの出射光量が変動するスクープ現象が発生し、なおかつスクープ現象によるレーザの出射光量変動はディスク毎や同一ディスクの半径方向の位置によって異なり、なおかつ多層記録媒体の再生時に他層迷光が発生した場合でも、スクープによるレーザ出射光量の変動を検出して、常にレーザ出射光量一定時と同じ変調度が検出でき、正確なパワー補正が行え、ディスク全面にわたって安定した良好な記録品位を保つことができる。また、スクープによるレーザ出射光量の変動を検出する回路を新規に追加することで、高精度なレーザ出射光量の変動量の検出が実現できる。
【００８９】
なお、実施の形態４、５、６、７のレーザの出射光量を検出するマーク部およびスペース部の所定のデータ長は、最大記録データ長としてもよい。スクープ現象によって記録マーク及びスペース部の反射光量の明暗（大小）によってレーザの出射光量が変動することは、データ長には依存しないが、長いデータ長の方が、光量変動の検出にさいして検出手段の回路構成が容易で、精度も高く安価に実現できる。
【産業上の利用可能性】
【００９０】
本発明にかかる情報記録方法および情報記録装置は、スクープによるレーザ出射光量変動量を補正し、他層迷光を除去することによって、常にレーザ出射光量一定時および他層迷光がない場合と同じ反射光量の振幅測定およびβ値が検出でき、正確なパワー補正が行え、ディスク全面にわたって安定した良好な記録品位を保つことが不可欠な用途にも適用できる。
【図面の簡単な説明】
【００９１】
【図１】本発明の実施の形態１における情報記録装置の構成を示すブロック図
【図２】本発明の実施の形態１における情報記録方法の動作を示すフローチャート
【図３】本発明の実施の形態２における情報記録装置の構成を示すブロック図
【図４】本発明の実施の形態３における情報記録装置の構成を示すブロック図
【図５】本発明の実施の形態４における他層迷光調整装置の構成を示すブロック図
【図６】本発明の実施の形態４における他層迷光調整方法の動作を示すフローチャート
【図７】本発明の実施の形態５における情報記録装置の構成を示すブロック図
【図８】本発明の実施の形態５における情報記録方法の動作を示すフローチャート
【図９】本発明の実施の形態６における情報記録装置の構成を示すブロック図
【図１０】本発明の実施の形態７における情報記録装置の構成を示すブロック図
【図１１】本発明の実施の形態７における情報記録方法の動作を示すフローチャート
【図１２】スクープ現象及び他層迷光発生によって反射光量のピーク値とボトム値が変動することを示した図
【図１３】従来の情報記録方法の動作を示すフローチャート
【符号の説明】
【００９２】
１    光ディスク
２    スピンドルモータ
３    レーザダイオード
４    ビームスプリッター
５    対物レンズ
６    光量モニター用フォトディテクタ
７    Ｉ／Ｖ変換回路
８    ＬＰＦ
９    ＡＭＰ
１０    Ｓ／Ｈ
１１    Ｓ／Ｈ
１２    ｍｐ検出器
１３    ｓｐ検出器
１４    ピークパワー制御回路
１５    バイアスパワー制御回路
１６    ＬＤ駆動回路
１７    戻り光検出用フォトディテクタ
１８    Ｉ／Ｖ変換回路
１９    ＲＦ加算器
２０    ピーク検波回路
２１    ピーク値測定回路
２２    ボトム検波回路
２３    ボトム値測定回路
２４    ＬＰＦ
２５    平均値測定回路
２６    迷光量測定回路
２７    ピーク値迷光補正回路
２８    ボトム値迷光補正回路
２９    平均値迷光補正回路
３０    スクープ測定回路
３１    ピーク値スクープ補正回路
３２    ボトム値スクープ補正回路
３３    β値算出回路
３４    目標β値比較回路
３５    補正パワー算出回路
３６    長マーク部Ｓ／Ｈ回路
３７    長スペース部Ｓ／Ｈ回路
３８    ＬＰＦ
３９    マーク部出射光量測定回路
４０    スペース部出射光量測定回路
４１    出射光量平均値測定回路
４２    スクープ測定回路
４３    再生パワー制御回路
４４    迷光測定回路
４５    迷光値格納回路
４６    最小データ長マーク部／スペース部振幅値測定回路
４７    最小データ長マーク部／スペース部振幅値迷光補正回路
４８    最小データ長マーク部／スペース部振幅値スクープ補正回路
４９    アシンメトリ値算出回路
５０    目標アシンメトリ値比較回路
５１    既知変調度多層光ディスク
５２    記録再生切り換え回路
５３    変調度算出回路
５４    目標変調度比較回路
５５    ピーク値スクープ補正回路
５６    ボトム値スクープ補正回路
【図１】
2006120281.tif 000003
【図２】
2006120281.tif 000004
【図３】
2006120281.tif 000005
【図４】
2006120281.tif 000006
【図５】
2006120281.tif 000007
【図６】
2006120281.tif 000008
【図７】
2006120281.tif 000009
【図８】
2006120281.tif 000010
【図９】
2006120281.tif 000011
【図１０】
2006120281.tif 000012
【図１１】
2006120281.tif 000013
【図１２】
2006120281.tif 000014
【図１３】
2006120281.tif 000015